(57)【要約】【課題】  高額紙幣を受け入れて釣銭用の紙幣を払い出すことができる機能を有しながら、薄形の遊技機島を形成することのできる遊技媒体貸出装置を提供する。【解決手段】  遊技機島の長手方向に架け渡されかつ垂直に周回する搬送ベルト４４の上位部分の移動によって、金庫４１への紙幣の搬入経路が形成される。また、搬送ベルト４４の下位部分の移動によって、釣銭となる千円札の金庫４１からの搬出経路が形成される。紙幣識別装置５０に備わる釣銭貯留部６０が、千円札で満たされている場合は、投入されたすべての金種の紙幣が金庫４１に搬送される。釣銭貯留部６０に貯留されている千円札が、所定の枚数に満たない場合は、新たに投入された紙幣のうち千円札だけを直接内部に取り込む。さらに、釣銭貯留部６０に貯留されている千円札が、釣銭に対応できないほど不足する恐れのある場合には、金庫４１より千円札が搬出されて釣銭貯留部６０に補充される。【選択図】  図２
2006338649.tif 000002
【特許請求の範囲】
【請求項１】
遊技機島に架設された紙幣搬送装置には遊技媒体貸出機が接続され、遊技媒体の貸し出しを受けるために遊技客によって前記遊技媒体貸出機に投入された紙幣を、前記紙幣搬送装置を通じて金庫に収納するように構成された遊技媒体貸出装置において、
前記紙幣搬送装置は、該遊技機島の長手方向に架け渡されかつ垂直に周回する搬送ベルトを備え、投入された紙幣は、周回する前記搬送ベルトの上位または下位のうちの一方の移動によって前記金庫に取り込まれるとともに、高額紙幣が投入されたときには、釣銭とされる金種の紙幣が、周回する前記搬送ベルトのもう一方の移動によって前記金庫から搬出されて、払い出されるように構成されるとともに、
前記遊技媒体貸出機には釣銭貯留部が備えられ、
紙幣挿入口より投入された紙幣は、前記釣銭貯留部が所定枚数の紙幣で満たされている場合には、前記金庫に搬送され、前記釣銭貯留部が所定枚数に満たない場合には、釣銭として適合する金種に限り前記釣銭貯留部に直接取り込まれ、さらに前記釣銭貯留部に収納されている紙幣が釣銭として対応することができなくなるほどに不足する恐れのある場合には、前記金庫より釣銭用の紙幣が搬出されて補充されるように構成されていることを特徴とする遊技媒体貸出装置。
【請求項２】
前記金庫は、前記紙幣搬送装置に混在する複数の金種の紙幣のうち、少なくとも釣銭とされる金種の紙幣を分別して保管するように構成されていることを特徴とする請求項１に記載の遊技媒体貸出装置。
【発明の詳細な説明】
【技術分野】
【０００１】  本発明は、複数の遊技機および遊技媒体貸出機を配列して形成される遊技機島に組み込まれる遊技媒体貸出装置に関し、特に高額紙幣が投入されたときに、釣銭用の紙幣を払い出すことができるようにした装置に関する。
【背景技術】
【０００２】  スロットマシンやパチンコ機に代表される遊技機において、遊技客がゲームを始めようとする際には、まず、遊技媒体としてのメダルやパチンコ玉の貸し出しを受けなければならない。そして、その貸し出しを受けるための手段として、硬貨または紙幣といった現金を遊技機に隣接して設置された遊技媒体貸出機に直接投入するという方法が、遊技客にとって最も手っ取り早い便利な方法といえる。とりわけ、高額紙幣を受付けて釣銭を払い出すことのできる機能を有する遊技媒体貸出装置は、遊技客が、高額紙幣を予め両替機などによって両替しておいたり、ゲームの途中で両替のために席を離れたりするといった煩わしさがない。【０００３】  特許文献１には、釣銭を払い出すことのできる遊技場システムが紹介されている。すなわち、特許文献１より転載した図６に示すように、この遊技場システムにおいて、遊技機１の遊技媒体を遊技者へ貸し出すための遊技媒体貸出機としての台間機２を各遊技機１に対応させるようにして、複数台の遊技機１と複数台の台間機２とを整列状態で配備して島が構成されている。各島には、各台間機２で受け付けられかつ送り出された貨幣を貨幣回収機構９０へ搬送するための貨幣搬送機構７０が設けられる。各台間機２は、釣り銭のための千円札を収納する釣り銭収納部４０を有し、釣り銭収納部４０の釣り銭が不足したとき、貨幣搬送機構７０より千円札を取り込んで釣り銭収納部４０に収納する。このような構成によって、薄型の台間機であっても、釣り銭を必要とする高額紙幣が使用できるようになり、しかも、釣り銭不足を頻繁に生じさせないようになる。【０００４】
【特許文献１】  特開２００１−５４６７５号公報
【発明の開示】
【発明が解決しようとする課題】
【０００５】  上記に引用した特許文献１によれば、貨幣搬送機構７０は、島の両端部に配置された駆動ローラ７２と従動ローラ７３との間に張設された駆動ベルト７４と、各台間機２の位置に対応させて配置された従動ローラ７５，７６間に張設された従動ベルト７７とによって構成されたものであり、前記駆動ベルト７４と各従動ベルト７７との間には、紙幣を挟持して島端の貨幣回収機構９０まで搬送する搬送路７１が一周形成されている。すなわち、貨幣回収機構９０と台間機２の関係において、最も遠いものはほぼ一周を要することとなり、非効率な貨幣の搬送形態となっている。【０００６】  そして、ここに使用されている各種のローラは水平に配置されて、水平回転するように形成されたものである。しかしながら、このように構成された貨幣搬送機構７０は、殊に駆動ローラ７２および従動ローラ７３の直径の大きさが貨幣搬送機構７０の幅に影響することとなり、もって島の厚さ（奥行き）が決定されることとなる。【０００７】  また、この貨幣搬送機構７０では、投入されて島端の貨幣回収機構９０まで搬送される高額紙幣と、貨幣回収機構９０より搬出されて台間機２に補充される釣銭用の紙幣とが、一本の駆動ベルト７４に混在した状態で搬送されるようになっている。そこで、搬送中の紙幣の通過を検出する通過センサ８１と、該センサを通過した紙幣が釣銭適合金種の紙幣であるかどうかを判別するための紙幣判別器８２とを、台間機２ごとに設置するようにして、通過する紙幣の金種をその都度チェックすることで解決している。このうち、通過センサ８１については、タッチセンサなどでもって簡単に装着することが可能なので特に問題とはならない。しかしながら、紙幣判別器８２については、たとえば赤外線透過センサと、受光した透過光をデータ分析して金種を判別する解析装置とが必要であり、製造の際のコストアップや手間がかかるなどといった点で問題が残る。【０００８】  このような状況にあって、本発明が目的とするところは、まず、釣銭の払い出しに対応することのできる遊技媒体貸出装置を提供することにあり、しかもこの種の遊技媒体貸出装置を組み込んで形成される遊技機島の厚さについて、引例のような従来の遊技機島の厚さよりも薄形のものを提供することができるようにすることにある。また、頻繁に紙幣の金種を判別する必要のない遊技媒体貸出装置を提供することにある。
【課題を解決するための手段】
【０００９】  本発明の遊技媒体貸出装置は、上記の如き課題を解決するためになされたもので、遊技機島に架設された紙幣搬送装置には遊技媒体貸出機が接続され、遊技媒体の貸し出しを受けるために遊技客によって前記遊技媒体貸出機に投入された紙幣を、前記紙幣搬送装置を通じて金庫に収納するように構成された遊技媒体貸出装置において、前記紙幣搬送装置は、該遊技機島の長手方向に架け渡されかつ垂直に周回する搬送ベルトを備え、投入された紙幣は、周回する前記搬送ベルトの上位または下位のうちの一方の移動によって前記金庫に取り込まれるとともに、高額紙幣が投入されたときには、釣銭とされる金種の紙幣が、周回する前記搬送ベルトのもう一方の移動によって前記金庫から搬出されて、払い出されるように構成されるとともに、前記遊技媒体貸出機には釣銭貯留部が備えられ、紙幣挿入口より投入された紙幣は、前記釣銭貯留部が所定枚数の紙幣で満たされている場合には、前記金庫に搬送され、前記釣銭貯留部が所定枚数に満たない場合には、釣銭として適合する金種に限り前記釣銭貯留部に直接取り込まれ、さらに前記釣銭貯留部に収納されている紙幣が釣銭として対応することができなくなるほどに不足する恐れのある場合には、前記金庫より釣銭用の紙幣が搬出されて補充されるように構成されていることを特徴とする。【００１０】  遊技機島の長手方向に架け渡されて垂直に周回する一本の搬送ベルトを利用して、投入された紙幣を立てた状態で搬送するという技術自体は、すでに広く実用されている技術である。ところが、本発明の遊技媒体貸出装置は、周回する一本の搬送ベルトの往路のみならず復路の動きも活用するように構成して、金庫への紙幣の収納作業のほか、金庫からの釣銭用紙幣の搬出がなされるようにしたことを特徴としている。【００１１】  そして、投入された紙幣が高額紙幣であった場合、ならびに釣銭に適合する金種の紙幣であっても、釣銭貯留部がすでに貯留されている紙幣で満たされている場合には、遊技機島の一端に設けられた金庫まで搬送されて保管される。一方、釣銭貯留部に余裕がある場合には、釣銭として適合する紙幣は、釣銭貯留部に取り込まれる。また、釣銭貯留部に貯留されている紙幣の枚数が、釣銭として対応できないほどに不足した場合は、不足枚数分が金庫に保管された紙幣から補充される。釣銭貯留部は、遊技客ができる限り待ち時間なしに釣銭を受け取ることができるように、遊技媒体貸出機に備えられたものである。【００１２】  また、請求項２に記載の遊技媒体貸出装置は、前記金庫は、前記紙幣搬送装置に混在する複数の金種の紙幣のうち、少なくとも釣銭とされる金種の紙幣を分別して保管するように構成されていることを特徴とする。【００１３】  投入される紙幣の金種はさまざまであるが、これを金庫に取り入れる際に、少なくとも釣銭用の紙幣を選別して保管することにより、これを釣銭として搬出する際には、改めてその紙幣の金種を識別する必要がなくなる。紙幣搬送装置の釣銭を搬送する搬送ベルトには、釣銭用の紙幣しか流れないようになるので、遊技媒体貸出機に装着された釣銭貯留部に取り込む際に、その都度金種を確認する必要がない。
【発明の効果】
【００１４】  本発明の遊技媒体貸出装置は、釣銭に対応することのできる装置として、遊技機島の長手方向に沿って架け渡されて垂直に周回する一本の搬送ベルトの往路と復路の両方の動きを無駄なく利用して完成させたものである。したがって、両面タイプの遊技機島に適応することができるうえに、その遊技機島の厚さは、釣銭機能を持たない従来の遊技機島の厚さと何ら変わることなく形成することができる。また、釣銭機能を有する従来の同種の遊技機島との比較では、より薄形の遊技機島として提供することができるようになる。【００１５】  遊技客が投じた紙幣は、その金種と真贋が識別されて適正な紙幣と判別されれば、釣銭貯留部の充足状況に応じてこれに取り込まれるため、金庫からの補充回数を減らすことができて効率的である。釣銭貯留部が一杯である場合には、金庫まで搬送されて仕分けされたのち保管される。そして、釣銭として適合する紙幣だけが金庫から搬出されるという構成によって、頻繁な紙幣の識別を必要としなくなるから、比較的低廉な装置として提供することができるようになる。【００１６】  遊技媒体貸出機に備えられた釣銭貯留部には、釣銭用の紙幣が常時補充されるようになっているから、遊技客から釣銭を要求された際に、素早く応えることができる。なお、遊技店の営業日の開店前に、釣銭用の紙幣を必要とする枚数だけ金庫にセットして本装置を稼動させれば、遊技媒体貸出機に装着された総ての釣銭貯留部を釣銭用の紙幣で充足することができる。
【発明を実施するための最良の形態】
【００１７】  次に、本発明の実施例について、図を参照しながら説明する。図１は、遊技機島の正面外観図、図２は、本発明の一実施例である遊技媒体貸出装置の正面図、図３は、遊技媒体貸出装置に格納されている紙幣識別装置の紙幣識別部ならびに釣銭貯留部を示す平面図である。図４は、投入された紙幣の紙幣搬送装置における搬入経路を示す平面図、図５は、釣銭用の紙幣の紙幣搬送装置における搬出経路を示す平面図、図６は、従来の遊技媒体貸出装置の一例を示す平面図である。なお、本発明に関わる図面に記載された符号と、引用文献１より転載した図面（図６）に記載された符号とは、同符号であったとしても、同一のものを表わすものではない。【００１８】  図１には、遊技機の一例としてのスロットマシン２０と、遊技媒体貸出機の一例としてのメダルサンド３０とが描かれている。そして、このスロットマシン２０とメダルサンド３０とが交互に横並びに設置されることによって、遊技機島が形成される。本実施例においては、背中合わせに配設させた２列を合わせて一つの遊技機島として形成されたものを示すことにする。そして、遊技機島の中央部には、その長手方向に沿って、紙幣搬送装置４０が架設され、紙幣搬送装置４０の一端部には、金庫４１が配置されている。本発明の遊技媒体貸出装置１０は、以上のようなメダルサンド３０における紙幣の受け入れおよび払い出しに関わる機構ならびに紙幣搬送装置４０を総称するものである。【００１９】  メダルサンド３０の正面には、遊技客がゲームを終了して残額を釣銭として受け取るときに押下する精算ボタン３１と、紙幣を投入してメダルの貸し出しを受けるときに押下する貸出ボタン３２とが取り付けられている。また、表示部３３が備えられ、種々のデータが表示されるようになっている。この表示部３３は、たとえば、メダルの貸出枚数や売上情報、異常表示などを適宜表示するためのデータ表示部３４と、遊技客が投入した紙幣の残額を表示して、ゲームを継続するときのための金額を留保するための残額表示部３５とによって構成されるものである。【００２０】  メダルサンド３０の正面には、さらに、紙幣挿入口３６および釣銭払出口３７が開設されている。紙幣挿入口３６は、メダルサンド３０に格納された紙幣識別装置５０に連通している。釣銭払出口３７は、紙幣識別装置５０の一部を構成する釣銭貯留部５１に連通している。また、メダルサンド３０の下部には、貸出用のメダルを払い出すノズルシュート３８が取り付けられている。紙幣挿入口３６に紙幣を投入して貸出ボタン３２を押下することによって払い出されるメダルは、ノズルシュート３８を通じてスロットマシン２０の下部に設けられた受皿２１に流下する。こうして払い出されたメダルをスロットマシン２０のメダル投入口２２に投入することによって、ゲームの開始が可能となる。【００２１】  図２に示す紙幣搬送装置４０において、その一端部には駆動プーリ４２が配設され、他端部には従動プーリ４３が配設されている。これらのプーリ４２および４３は、水平な回転軸を有して、垂直回転するように配設されたものである。そして、駆動プーリ４２と従動プーリ４３との間には、丸ベルトからなる搬送ベルト４４が張架されている。搬送ベ��ト４４は、図示しない駆動モータの回転力によって駆動プーリ４２が回転することによって、周回するようになっている。【００２２】  図２において、搬送ベルト４４が時計回りに周回するものとすると、上位に位置するベルトは、矢印Ａの如く金庫４１に向かって移動するから、このベルトの移動を紙幣の搬入手段として利用するようにする。この場合、搬送ベルト４４は、メダルサンド３０における紙幣挿入口３６の高さに対応して設置される。また、搬送ベルト４４の下位に位置するベルトは、矢印Ｂの如く金庫４１から離間する方向に移動するから、このベルト移動は釣銭用の紙幣の搬出手段として利用されることになる。したがって、メダルサンド３０における釣銭払出口３７は、紙幣挿入口３６より下位に設けられる。なお、本遊技媒体貸出装置１０において、紙幣は、立てた状態で投入され、搬送されるようになっている。【００２３】  メダルサンド３０に格納された紙幣識別装置５０には、図３（ａ）に示す紙幣識別部５１において、紙幣挿入口３６に連続させて紙幣搬送ベルト５２が張架されており、これと対峙して配設された搬送ローラ５３とでもって紙幣Ｓを挟持することによって、投入された紙幣Ｓを装置本体に取り込んで奥へと送り込むように構成されている。また、この紙幣搬送ベルト５２に沿って形成される搬送路には、図示しない各種のセンサ類が装填され、通過する紙幣Ｓの各種データを読み取って、その金種と真贋とを判別している。【００２４】  投入された紙幣Ｓが、万一、不正な紙幣であった場合には、紙幣識別部５１によって受け入れが拒否される。紙幣搬送ベルト５２が逆転して、その紙幣は紙幣挿入口３６を通じて遊技客の手もと側に返却される。一方、真券であると識別された紙幣Ｓは、紙幣識別部５１のさらに奥の方へと運ばれる。紙幣Ｓが通過したあとには、紙幣挿入口３６の近傍に付設させたシャッター手段５４が突出して搬送路を遮断するために、正当な紙幣の投入を装置に認識させた直後に紙幣Ｓを引き戻すという不正が防止される。そののち、メダルサンド２０の貸出ボタン３２が押下されるのに伴って、メダルの貸し出しが実行される。【００２５】  紙幣識別部５１の最奥部には、切替手段５５が付設されている。切替手段５５は、たとえばソレノイドなどによって先端部が揺動する短冊状板によって構成されるもので、投入された紙幣Ｓを直進させるのか、あるいは紙幣識別部５１の内部に取り込むのかについての切り替えを行う。そして、切替手段５４が、紙幣Ｓを内部に取り込むように切替作動したときには、紙幣Ｓは、ガイドプレート５６に倣うようにしてＵターンして、投入時の搬送路と対照する内部位置にまで運ばれる。そののち、紙幣識別部の底部に開設された長穴を通じて、後述する釣銭貯留部６０にスライド落下する。なお、切替手段５５によるこのような切替動作は、釣銭貯留部６０が所定の釣銭の枚数を満たしていないときに、釣銭に適合する金種の紙幣に対してなされる。【００２６】  図２および紙幣の搬入経路を示す平面図である図４において、紙幣識別装置５０の背面には、紙幣搬送装置４０の一部を構成する紙幣誘導路４５が連結されている。この紙幣誘導路４５は、ほぼ直角に湾曲して方向を変換し、その先端部で搬送ベ���ト４４に合流するように形成されている。また、紙幣搬送装置４０には、紙幣送出手段４６が配設されている。紙幣送出手段４６には、回転駆動ローラ４６ａが装着され、搬送ベルト４４と当接することによって、周回するベルトから回転力を受けるように形成されている。この回転駆動ローラ４６ａの回転は、さらに回転駒４６ｂへと伝達される。回転駒４６ｂの外周部の一部は、紙幣誘導路４５の内方に臨むように構成されている。【００２７】  また、紙幣搬送装置４０には、搬送ベルト４４の両サイドから該搬送ベルト４４に当接する形で、多数の搬送ローラ４７が取り付けられている。この搬送ローラ４７は、所定の間隔でもって並列されたものである。紙幣識別装置５０から送り出された紙幣は、回転駒４６ｂの回転によって奥の方へと引き込まれ、その先方で、回転駆動ローラ４６ａならびに搬送ローラ４７と、搬送ベルト４４との間で順送りに挟持されながら、矢印Ａのように金庫４１に向かって搬送されることとなる。紙幣搬送装置４０の搬送路中には、メダルサンド３０の台ごとに対応させて通過センサ４８が取り付けられており、搬送途中の紙幣の通過状況が検知される。投入された紙幣が、搬送途中にある他の紙幣と重なり合う恐れがあるときは、これを防止するために、紙幣識別装置５０からの送り出しが一時待機となるような措置が制御装置によってとられる。【００２８】  金庫４１の入口近傍には図示しない識別センサが備えられ、搬入される紙幣の金種が改めて判別される。そして、一般的に釣銭とされる金種である千円札は、少なくともその他の高額紙幣とは分別されて、金庫４１内に釣銭用として仕切られた釣銭保管部４１ａに収納される。一方、高額紙幣は、金庫４１内に高額紙幣用として仕切られた高額紙幣保管部４１ｂに収納される。なお、この高額紙幣保管部４１ｂは、たとえば、一万円札と五千円札とを別々に保管するような構成としてもよい。【００２９】  釣銭保管部４１ａおよび高額紙幣保管部４１ｂは、それぞれ、紙幣を取り込んで整列収納させる図示しないスタッカ機構を備えている。そして、金庫４１の内部構造は、たとえば、釣銭保管部４１ａと高額紙幣保管部４１ｂとを縦に並べた２階建て式の保管部とし、このような保管部４１ａおよび４１ｂがリフト機構によって上下動することによって、搬入された紙幣は仕分けされながら収納される。また、釣銭保管部４１ａには繰出ローラが備えられおり、繰出ローラの回転駆動に伴って、札束を立てた状態に保管された千円札を搬送ベルト４４の下位の側に対して一枚ずつ繰り出すように形成されている。【００３０】  次に、図２および紙幣の搬出経路を示す平面図である図５において、紙幣搬送装置４０の構造は、上述の搬入経路に近似したものである。すなわち、紙幣識別装置５０の一部である釣銭貯留部５１に釣銭として貯えられている千円札の枚数が、たとえば９枚よりも少なくなって、一万円札の新たな投入があったときに釣銭を払い出すことができない状態となったときは、制御装置を介して送信される補充要求に基づいて、金庫４１の釣銭保管部４１ａに設けられた繰出ローラが駆動を開始する。繰出ローラによって繰り出された千円札は、補充用の釣銭紙幣として、搬送ローラ４７ならびに回転駆��ローラ４６ａと、搬送ベルト４４との間で順送りに挟持されながら、矢印Ｂに従って搬送され、補充を要求したメダルサンド３０へと向かう。【００３１】  通過センサ４８は、紙幣の搬出経路においても、メダルサンド３０の台ごとに対応させて取り付けられており、搬送中の紙幣の通過を検知している。一方、メダルサンド３０には紙幣誘導路４５が連結し、さらに、紙幣誘導路４５に対して紙幣送出手段４６が配備されている。そして、紙幣送出手段４６に装着されている回転駆動ローラ４６ａが搬送ベルト４４と当接することによって、周回するベルトから紙幣の搬入時とは逆の回転力を受けるようになる。したがって、紙幣送出手段４６に組み込まれた回転駒４６ｂも逆に回転することになる。【００３２】  このような紙幣の搬出経路における構成が搬入経路における構成と明らかに異なるところは、搬出経路には、紙幣誘導路４５が搬送ベルト４４と接する部位に、切替手段４９が付設されていることである。切替手段４９は、たとえばソレノイドなどによって先端部が揺動する短冊状板によって構成されるもので、搬送中の紙幣を通過させるのか、あるいは紙幣の搬送を紙幣誘導路４５の方向に誘導するのかについての切り替えを行う。そして、切替手段４９は、釣銭用の紙幣の要求のあったメダルサンド３０の手前側に設置された通過センサ４８が紙幣の通過を検知したときに、紙幣を取り込む方向に切替作動するように制御されている。【００３３】  紙幣識別装置５０の一部を構成する釣銭貯留部６０には、図３（ｂ）に示すように、押圧板６１を本図の右の方に付勢するスプリング６２と、図示しないソレノイドによって押圧板５５を本図の左の方へ引き寄せるリンク機構６３とが組み込まれている。本図は、リンク機構６３が作動して、押圧板６１が左の方へ引き寄せられた状態を示すもので、このような状態にあるときに、千円札である紙幣Ｓは、後方からは紙幣誘導路４５を通じて、また上方からは前述のように投入されて紙幣識別部５１の内部に取り込まれたのちスライド落下することにより、送り込まれる。そして、スプリング６２の伸長作用によって、押圧板６１は、紙幣Ｓを伴って棚板状に突設させた支持片６４を摺り抜け、本図の右側の壁面に向かって付勢される。このようにして、釣銭用の紙幣Ｓが釣銭貯留部６０に貯留されることとなる。【００３４】  遊技客の要求に応じて釣銭の支払いが必要となったときは、前記のように押圧板６１によって貯留されている紙幣Ｓが付勢された状態にあるときに、紙幣Ｓに当接するように配置した繰出ローラ６５が作動することによって、千円札である紙幣Ｓは、釣銭払出口３７より釣銭として一枚ずつ払い出される。【００３５】  いま仮に、釣銭貯留部６０の所定の収容枚数が３０枚であるとしたときに、釣銭貯留部６０がすでに一杯に満たされている場合は、新たに投入された紙幣Ｓが千円札であろうと高額紙幣であろうと、すべての紙幣が金庫４１に搬送される。一方、釣銭貯留部６０の収納枚数が３０枚に満たない場合には、投入された新たな紙幣Ｓのうちの千円札だけが、３０枚に達するまでの間だけ、紙幣識別部５１から釣銭貯留部６０に直接送り込まれて貯留される。さらに、釣銭貯留部６０の収納枚数が、たとえば９枚を下回っ���場合は、金庫４１から千円札が搬出されて、たとえば２０枚になるまで釣銭貯留部６０に補充される。
【図面の簡単な説明】
【００３６】
【図１】  遊技機島の正面外観図である。
【図２】  本発明の一実施例である遊技媒体貸出装置を示す正面図である。
【図３】  紙幣識別装置における（ａ）は紙幣識別部、（ｂ）は釣銭貯留部を示す平面図である。
【図４】  投入された紙幣の搬入経路に関わる図２の平面図である。
【図５】  釣銭用の紙幣の搬出経路に関わる図２の平面図である。
【図６】  従来の遊技媒体貸出装置の一例を示す平面図である。
【符号の説明】
【００３７】１０  遊技媒体貸出装置
２０  スロットマシン（遊技機）
３０  メダルサンド（遊技媒体貸出機）
３６  紙幣挿入口
３７  釣銭払出口
４０  紙幣搬送装置
４１  金庫
４１ａ  釣銭保管部
４１ｂ  高額紙幣保管部
４４  搬送ベルト
４７  搬送ローラ
４８  通過センサ
４９  切替手段
５０  紙幣識別装置
５１  紙幣識別部
５５  切替手段
６０  釣銭貯留部
６５  繰出ローラ
Ｓ  紙幣
【図１】
2006338649.tif 000003
【図３】
2006338649.tif 000004
【図２】
2006338649.tif 000005
【図４】
2006338649.tif 000006
【図５】
2006338649.tif 000007
【図６】
2006338649.tif 000008